(57)【要約】【課題】構造が簡単で、効果が良好で、メンテナンスの必要がない自動回転散水ヘッドを提供する。【解決手段】中空柱体１３に上部半球ケース体２と下部半球ケース体３とが組立てられて形成された球体が加わった構造で、中空柱体１３の一側に設けられた偏向貫通孔１３１によって、水が中空球体に注入されると球体が回転し、水が球体上の各種配列された貫通孔から噴出され、中空球体の回転に伴い、異なる噴射点を備えた動態性を有する水の噴射が行われる。【選択図】  図１
0003111309.tif 000002
【実用新案登録請求の範囲】
【請求項１】
ベース台と、上部半球ケース体と、下部半球ケース体と、端板とを備え、
前記ベース台下端には、水管の出水口と接続する中空接続部が設けられ、前記中空接続部上方には環状ストッパー板が設けられ、前記環状ストッパー板上方には中空柱体が設けられ、前記中空柱体の側部の適当な位置には偏向貫通孔が開設され、前記中空柱体の末端には開口部が設けられており、
前記上部半球ケース体と前記下部半球ケース体とは、形状が対称で、組立てられて中空球体を形成しており、それぞれ前記中空柱体に対応する貫通孔が設けられ、前記上部半球ケース体には小型貫通孔が設けられており、中空球体に組立てられた後、前記両貫通孔を前記ベース台の中空柱体に嵌入でき、前記中空球体が前記中空柱体上において回転できる状態となり、
前記端板には、小型貫通孔が設けられており、前記中空球体を中空柱体に嵌入した後、前記中空柱体末端の開口部を密封し、
水が中空接続部から中空柱体に進入した後、水圧によって中空柱体側部の偏向貫通孔から中空球体の中空部に進入し、同時に中空球体を回転させ、水を前記上部半球ケース体の小型貫通孔と端板の小型貫通孔とから噴出させ、中空球体が回転するときに上部半球ケース体の小型貫通孔から水を噴出させるので、連続回転し、異なる噴射点を備えた動態性を有する水の噴射が行われることを特徴とする自動回転散水ヘッド。
【請求項２】
前記ベース台の中空接続部には、周囲にねじ山部または凸段部が形成されており、各種水管を接続できることを特徴とする請求項１記載の自動回転散水ヘッド。
【請求項３】
前記端板が、小型貫通孔が設けられていない密合端板であることを特徴とする請求項１記載の自動回転散水ヘッド。
【請求項４】
前記上部半球ケース体上には、環状配列小型貫通孔、十字状配列小型貫通孔あるいは螺旋状小型貫通孔が設けられていることを特徴とする請求項１記載の自動回転散水ヘッド。
【請求項５】
前記上部半球ケース体上に設けられた環状配列小型貫通孔、十字状配列小型貫通孔、螺旋状小型貫通孔および端板の小型貫通孔は、適当な角度または方向を呈しており、噴出される水柱は特定の予め設定された方向に噴出されることを特徴とする請求項１記載の自動回転散水ヘッド。
【請求項６】
前記ベース台と中空柱体とが一体構造であるか、または中空柱体と端板とが一体で中空柱体が独立した構造であり、どちらの場合でも同様に、上部には偏向貫通孔およびストッパー板凸縁を備え、下端にはねじ山部が設けられ、非中空の柱体であるベース台内のねじ山に螺合して同様の効果を得ることができることを特徴とする請求項１記載の自動回転散水ヘッド。
【請求項７】
前記ベース台上の中空柱体の側部の適当な位置には、二つまたは四つの偏向貫通孔が設けられていることを特徴とする請求項１記載の自動回転散水ヘッド。
【請求項８】
前記下部半球ケース体上には、前記上部半球ケース体と同様に環状配列小型貫通孔が設けられていることを特徴とする請求項１記載の自動回転散水ヘッド。
【請求項９】
前記上部半球ケース体が、弧型ケース体で代替されており、上部には環状配列小型貫通孔が設けられており、内部端板中央には大型貫通孔が設けられていることを特徴とする請求項１記載の自動回転散水ヘッド。
【考案の詳細な説明】
【技術分野】
【０００１】
本考案は、散水ヘッドに関し、特に水圧の偏向を利用して球体を自動回転させ、球体が回転すると同時に、上部の貫通孔から変化のある噴射点を備えた動態性を有する水の噴射を行うことができる装置に関し、各種の出水口に設置でき、その構造は、中空柱体に球体が加わり、中空柱体の一側に設けられた偏向貫通孔によって、水が中空球体に注入されると球体が回転し、水が球体上の各種配列された貫通孔から噴出されるものである。
【背景技術】
【０００２】
噴水または散水装置として、例えば、シャワーヘッド、庭園用の散水器、消防用の放水器、事業用の噴霧器、噴水池の噴水装置などがあるが、これらの噴水ヘッドまたは散水ヘッドの主な欠点として、構造が簡単なものは全て単一な噴水または散水しかできないものであり、複雑な噴水または散水を行うことができず、回転式の動態性の噴水または散水ができる装置は構造が複雑で、製造コストも高く、故障しやすくメインテナンスがしにくい。
【考案の開示】
【考案が解決しようとする課題】
【０００３】
本考案の目的は、構造が簡単で、効果が良好で、メンテナンスの必要がない自動回転散水ヘッドを提供することにある。
【課題を解決するための手段】
【０００４】
上述の目的を解決するために、本考案は、各種水管に接続できる自動回転散水ヘッドを提供するものであり、中空球体が各種水管に接続できる設計になっており、中空球体内に中空柱体が設けられ、中空柱体周囲には中空球体が嵌設され、中空柱体の偏向貫通孔によって、水が中空球体に注入されると中空球体が回転し、水が中空球体上の各種配列された貫通孔から噴出され、中空球体の回転に伴い、異なる噴射点を備えた動態性を有する水の噴射が行われる。
【０００５】
請求項１の考案は、ベース台と、上部半球ケース体と、下部半球ケース体と、端板とを備え、ベース台下端には、水管の出水口と接続する中空接続部が設けられ、中空接続部上方には環状ストッパー板が設けられ、環状ストッパー板上方には中空柱体が設けられ、中空柱体の側部の適当な位置には偏向貫通孔が開設され、中空柱体の末端には開口部が設けられており、上部半球ケース体と下部半球ケース体とは、形状が対称で、組立てられて中空球体を形成しており、それぞれ中空柱体に対応する貫通孔が設けられ、上部半球ケース体には小型貫通孔が設けられており、中空球体に組立てられた後、両貫通孔をベース台の中空柱体に嵌入でき、中空球体が中空柱体上において回転できる状態となり、端板には、小型貫通孔が設けられており、中空球体を中空柱体に嵌入した後、中空柱体末端の開口部を密封し、水が中空接続部から中空柱体に進入した後、水圧によって中空柱体側部の偏向貫通孔から中空球体の中空部に進入し、同時に中空球体を回転させ、水を上部半球ケース体の小型貫通孔と端板の小型貫通孔とから噴出させ、中空球体が回転するときに上部半球ケース体の小型貫通孔から水を噴出させるので、連続回転し、異なる噴射点を備えた動態性を有する水の噴射が行われることを特徴とする自動回転散水ヘッドである。
【０００６】
請求項２の考案は、ベース台の中空接続部には、周囲にねじ山部または凸段部が形成されており、各種水管を接続できることを特徴とする請求項１記載の自動回転散水ヘッドである。
【０００７】
請求項３の考案は、端板が、小型貫通孔が設けられていない密合端板であることを特徴とする請求項１記載の自動回転散水ヘッドである。
【０００８】
請求項４の考案は、上部半球ケース体上には、環状配列小型貫通孔、十字状配列小型貫通孔あるいは螺旋状小型貫通孔が設けられていることを特徴とする請求項１記載の自動回転散水ヘッドである。
【０００９】
請求項５の考案は、上部半球ケース体上に設けられた環状配列小型貫通孔、十字状配列小型貫通孔、螺旋状小型貫通孔および端板の小型貫通孔は、適当な角度または方向を呈しており、噴出される水柱は特定の予め設定された方向に噴出されることを特徴とする請求項１記載の自動回転散水ヘッドである。
【００１０】
請求項６の考案は、ベース台と中空柱体とが一体構造であるか、または中空柱体と端板とが一体で中空柱体が独立した構造であり、どちらの場合でも同様に、上部には偏向貫通孔およびストッパー板凸縁を備え、下端にはねじ山部が設けられ、非中空の柱体であるベース台内のねじ山に螺合して同様の効果を得ることができることを特徴とする請求項１記載の自動回転散水ヘッドである。
【００１１】
請求項７の考案は、ベース台上の中空柱体の側部の適当な位置には、二つまたは四つの偏向貫通孔が設けられていることを特徴とする請求項１記載の自動回転散水ヘッドである。
【００１２】
請求項８の考案は、下部半球ケース体上には、上部半球ケース体と同様に環状配列小型貫通孔が設けられていることを特徴とする請求項１記載の自動回転散水ヘッドである。
【００１３】
請求項９の考案は、上部半球ケース体が、弧型ケース体で代替されており、上部には環状配列小型貫通孔が設けられており、内部端板中央には大型貫通孔が設けられていることを特徴とする請求項１記載の自動回転散水ヘッドである。
【考案の効果】
【００１４】
中空柱体の偏向貫通孔によって、水が中空球体に注入されると中空球体が回転し、水が中空球体上の各種配列された貫通孔から噴出され、中空球体の回転に伴い、異なる噴射点を備えた動態性を有する水の噴射が行われる。
【考案を実施するための最良の形態】
【００１５】
図１、２に示すように、本考案の一実施形態による自動回転散水ヘッドは、ベース台１と、上部半球ケース体２と、下部半球ケース体３と、端板４とを備える。
【００１６】
ベース台１は、下端に各種水管の出水口を接続するための中空接続部１１が設けられ、中空接続部１１上方には環状ストッパー板１２が設けられ、環状ストッパー板１２上方には中空柱体１３が設けられ、中空柱体１３の側部の適当な位置には偏向貫通孔１３１が開設され、中空柱体１３の末端には開口部１３２が設けられている。
【００１７】
図３に示すように、上部半球ケース体２と下部半球ケース体３には、それぞれ中空柱体１３に対応する貫通孔２１、３１が設けられ、上部半球ケース体２と下部半球ケース体３とが組立てられて中空球体が形成されており、両貫通孔２１、３１をベース台１の中空柱体１３に嵌入でき、中空球体が中空柱体１３上において回転できる状態となっている。
【００１８】
上部半球ケース体２と下部半球ケース体３とを組立てて形成された中空球体を中空柱体１３に嵌入した後、中空柱体１３末端の開口部１３２は端板４によって密封され、中空球体は中空柱体１３の制限された範囲において自由に回転できる。
【００１９】
図１、２、３に示すように、上述の上部半球ケース体２上には環状配列小型貫通孔２２が設けられ、端板４上にも小型貫通孔４１が設けられており、それによって、水が中空接続部１１から中空柱体１３に進入した後、水圧によって中空柱体側部の偏向貫通孔１３１から中空球体の中空部に進入し、同時に中空球体を回転させ、水を上部半球ケース体２の小型貫通孔２２と端板４の小型貫通孔２１とから噴出させ、連続回転し、異なる噴射点を備えた動態性を有する水の噴射が行われる。
【００２０】
図４、５に示すように、上述のベース台１の中空接続部１１には、周囲にねじ山部１１Ａまたは凸段部１１Ｂが形成されており、各種水管を接続できる。
【００２１】
図４、５に示すように、上述の端板４は、小型貫通孔４１が設けられていない密合端板４Ａとすることもできる。
【００２２】
図６、７、８に示すように、上述の上部半球ケース体２上に設けられている環状配列小型貫通孔２２は、十字状配列小型貫通孔２２Ａあるいは螺旋状小型貫通孔２２Ｂにすることもでき、それによって、射出または噴出される水にさらに動態性を与えたり、マッサージ効果を持たせたり、均一な噴水を行ったりすることができる。
【００２３】
図５に示すように、上述のベース台１と中空柱体１３とを一体にすることも、中空柱体１３と端板４とが一体になった独立した中空柱１４にすることもでき、どちらの場合でも同様に、上部には偏向貫通孔１４１およびストッパー板凸縁１４２を備え、下端にはねじ山部１４３が設けられ、非中空の柱体であるベース台１Ａ内のねじ山１５に螺合して同様の効果を得ることができる。
【００２４】
上述の上部半球ケース体２上に設けられた環状配列小型貫通孔２２、十字状配列小型貫通孔２２Ａ、螺旋状小型貫通孔２２Ｂおよび端板４の小型貫通孔４１は、適当な角度または方向を呈しており、噴出される水柱は特定の予め設定された方向に噴出される。
【００２５】
図９に示すように、ベース台１上の中空柱体１３の側部の適当な位置に開設されている偏向貫通孔１３１は、実施時に二つまたは四つの偏向貫通孔１３１Ａにすることができる。
【００２６】
図１０に示すように、下部半球ケース体３上には、上部半球ケース体２と同様に環状配列小型貫通孔３２を設けることができる。
【００２７】
図１１に示すように上部半球ケース体２は、弧型ケース体２Ａで代替することができ、上部には環状配列小型貫通孔２２Ｃが設けられ、内部端板４Ｂ中央には大型貫通孔４１Ｂが設けられており、シャワーヘッドとして使用される。
【図面の簡単な説明】
【００２８】
【図１】本考案の一実施形態による自動回転散水ヘッドを示す分解立体図である。
【図２】本考案の一実施形態による自動回転散水ヘッドを示す分解断面図である。
【図３】本考案の一実施形態による自動回転散水ヘッドの完成後の様子を示す断面図である。
【図４】本考案のその他の実施形態による自動回転散水ヘッドを示す分解立体図である。
【図５】本考案のその他の実施形態による自動回転散水ヘッドを示す分解立体図である。
【図６】本考案の一実施形態による自動回転散水ヘッドの半球ケース体の貫通孔を示す上面図である。
【図７】本考案のその他の実施形態による自動回転散水ヘッドの半球ケース体の貫通孔を示す上面図である。
【図８】本考案のその他の実施形態による自動回転散水ヘッドの半球ケース体の貫通孔を示す上面図である。
【図９】本考案のその他の実施形態による自動回転散水ヘッドを示す斜視図である。
【図１０】本考案のその他の実施形態による自動回転散水ヘッドの完成後の様子を示す断面図である。
【図１１】本考案のその他の実施形態による自動回転散水ヘッドの完成後の様子を示す断面図である。
【符号の説明】
【００２９】
１      ベース台
１Ａ    ベース台
１１    中空接続部
１１Ａ  ねじ山部
１１Ｂ  凸段部
１２    環状ストッパー板
１３    中空柱体
１３１  偏向貫通孔
１３１Ａ偏向貫通孔
１３２  開口部
１４    中空柱
１５    ねじ山
１４１  偏向貫通孔
１４２  ストッパー板凸縁
１４３  ねじ山部
２      上部半球ケース体
２Ａ    弧形ケース体
２１    貫通孔
２２    環状配列小型貫通孔
２２Ａ  十字状配列小型貫通孔
２２Ｂ  螺旋状配列小型貫通孔
２２Ｃ  環状配列小型貫通孔
３      下部半球ケース体
３１    貫通孔
３２    環状配列小型貫通孔
４      端板
４Ｂ    内部端板
４１    小型貫通孔
４Ａ    密合端板
４１Ｂ  大型貫通孔
【図１】
0003111309.tif 000003
【図２】
0003111309.tif 000004
【図３】
0003111309.tif 000005
【図４】
0003111309.tif 000006
【図５】
0003111309.tif 000007
【図６】
0003111309.tif 000008
【図７】
0003111309.tif 000009
【図８】
0003111309.tif 000010
【図９】
0003111309.tif 000011
【図１０】
0003111309.tif 000012
【図１１】
0003111309.tif 000013